【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
少なくとも１つの誤動作ならびに前記少なくとも１つの誤動作の各々に関連付けられる複数の直接的および間接的な影響を含むシステム誤動作影響データを受信することと、
前記受信されたシステム誤動作影響データを格納することと、
ユーザが前記システム誤動作影響データを見ることおよび／または修正することを容易にすることとを備え、前記見ることは、リレーショナルな態様で、すなわち各誤動作が１つ以上の直接的な影響にリンクされ、各直接的な影響が１つ以上の間接的な影響にリンクされる状態で前記データを提示することを含む、方法。
【請求項２】
ユーザが前記システム誤動作影響データを見ることおよび／または修正することを前記容易にすることは、ユーザが、前記ユーザに関連付けられる許可レベルに基づいて、見ることおよび／または修正することを認められる前記データの一部のみを前記ユーザが見ることおよび／または修正することを容易にすることをさらに含む、請求項１に記載の方法。
【請求項３】
プロセッサと、
協調ツールとを備える装置であって、前記協調ツールは、
少なくとも１つの誤動作ならびに前記少なくとも１つの誤動作の各々に関連付けられる複数の直接的および間接的な影響を含むシステム誤動作影響データを受信するように前記プロセッサによって作動され、
前記受信されたシステム誤動作影響データを格納するように前記プロセッサによって作動され、
ユーザが前記システム誤動作影響データを見ることおよび／または修正することを容易にするように前記プロセッサによって作動され、前記見ることは、リレーショナルな態様で、すなわち各誤動作が１つ以上の直接的な影響にリンクされ、各直接的な影響が１つ以上の間接的な影響にリンクされる状態で前記データを提示することを含む、装置。
【請求項４】
前記協調ツールは、前記システム誤動作影響データを受信するように前記プロセッサによってさらに作動され、前記受信することは、１つ以上の影響を受けるシステムから自動的に前記システム誤動作影響データの少なくとも一部を受信することをさらに含む、請求項３に記載の装置。
【請求項５】
前記協調ツールは、ユーザが前記システム誤動作影響データを見ることおよび／または修正することを容易にするように前記プロセッサによってさらに作動され、前記容易にすることは、ユーザが、前記ユーザに関連付けられる許可レベルに基づいて、見ることおよび／または修正することを認められる前記データの一部のみを前記ユーザが見ることおよび／または修正することを容易にすることをさらに含む、請求項３に記載の装置。
【請求項６】
コンピュータプログラムを記録したコンピュータ読み取り可能な記録媒体であって、該プログラムは、
少なくとも１つの誤動作ならびに前記少なくとも１つの誤動作の各々に関連付けられる複数の直接的および間接的な影響を含むシステム誤動作影響データを装置が受信するステップと、  
前記受信されたシステム誤動作影響データを前記装置が格納するステップと、
ユーザが前記システム誤動作影響データを見ることおよび／または修正することを前記装置が容易にするステップであって、前記見ることは、リレーショナルな態様で、すなわち各誤動作が１つ以上の直接的な影響にリンクされ、各直接的な影響が１つ以上の間接的な影響にリンクされる状態で前記データを提示することを含むステップを有する、記録媒体。
【請求項７】
前記プログラムは、さらに、ユーザが前記システム誤動作影響データを見ることおよび／または修正することを前記装置が容易にするステップであって、前記容易にすることは、さらに、ユーザが、前記ユーザに関連付けられる許可レベルに基づいて、見ることおよび／または修正することを認められる前記データの一部のみを前記ユーザが見ることおよび／または修正することを容易にすることを備えるステップを有する、請求項６に記載の記録媒体。
【手続補正２】
【補正対象書類名】明細書
【補正対象項目名】００４６
【補正方法】変更
【補正の内容】
【００４６】
具体的な実施例が本明細書において示され、記載されてきたが、この発明の範囲から逸脱することなく、示される具体的な実施例および記載される具体的な実施例の代わりに幅広い種類の代替的なおよび／または等価の実現例を使用できることが当業者によって認識されるであろう。
また、本発明は以下に記載する態様を含む。
（態様１） 
少なくとも１つの誤動作ならびに前記少なくとも１つの誤動作の各々に関連付けられる複数の直接的および間接的な影響を含むシステム誤動作影響データを受信することと、
前記受信されたシステム誤動作影響データを格納することと、
ユーザが前記システム誤動作影響データを見ることおよび／または修正することを容易にすることとを備え、前記見ることは、リレーショナルな態様で、すなわち各誤動作が１つ以上の直接的な影響にリンクされ、各直接的な影響が１つ以上の間接的な影響にリンクされる状態で前記データを提示することを含む、方法。
（態様２）
前記システム誤動作影響データは、航空機レベルの障害影響伝播データを含む、態様１に記載の方法。
（態様３）
ユーザが前記システム誤動作影響データを見ることおよび／または修正することを前記容易にすることは、ユーザが、前記ユーザに関連付けられる許可レベルに基づいて、見ることおよび／または修正することを認められる前記データの一部のみを前記ユーザが見ることおよび／または修正することを容易にすることをさらに含む、態様１に記載の方法。
（態様４）
誤動作、直接的な影響および間接的な影響のうち少なくとも１つは、数値的な確率に関連付けられる、態様１に記載の方法。
（態様５）
直接的な影響は、組合せが生じるときにのみ生じる誤動作の前記組合せに関連付けられ、間接的な影響は直接的な影響の組合せに関連付けられる、態様１に記載の方法。
（態様６）
直接的な影響が新しい誤動作に関連付けられるときに、前記直接的な影響に関連付けられる１つ以上の間接的な影響を前記新しい誤動作にマップすることをさらに備える、態様１に記載の方法。
（態様７）
前記システム誤動作影響データに少なくとも基づいて設計変更を勧告することをさらに含む、態様１に記載の方法。
（態様８）
認可プロセスで使用するための、前記システム誤動作影響データのレポートを準備することをさらに含む、態様１に記載の方法。
（態様９）
プロセッサと、
協調ツールとを備える装置であって、前記協調ツールは、
少なくとも１つの誤動作ならびに前記少なくとも１つの誤動作の各々に関連付けられる複数の直接的および間接的な影響を含むシステム誤動作影響データを受信するように前記プロセッサによって作動され、
前記受信されたシステム誤動作影響データを格納するように前記プロセッサによって作動され、
ユーザが前記システム誤動作影響データを見ることおよび／または修正することを容易にするように前記プロセッサによって作動され、前記見ることは、リレーショナルな態様で、すなわち各誤動作が１つ以上の直接的な影響にリンクされ、各直接的な影響が１つ以上の間接的な影響にリンクされる状態で前記データを提示することを含む、装置。
（態様１０）
前記協調ツールは、前記システム誤動作影響データを受信するように前記プロセッサによってさらに作動され、前記受信することは、１つ以上の影響を受けるシステムから自動的に前記システム誤動作影響データの少なくとも一部を受信することをさらに含む、態様９に記載の装置。
（態様１１）
前記協調ツールは、前記システム誤動作影響データを格納するように前記プロセッサによってさらに作動され、前記格納することはリレーショナルデータベースに前記データを格納することを含む、態様９に記載の装置。
（態様１２）
前記システム誤動作影響データは、航空機レベルの障害影響伝播データを含む、態様９に記載の装置。
（態様１３）
前記協調ツールは、ユーザが前記システム誤動作影響データを見ることおよび／または修正することを容易にするように前記プロセッサによってさらに作動され、前記容易にすることは、ユーザが、前記ユーザに関連付けられる許可レベルに基づいて、見ることおよび／または修正することを認められる前記データの一部のみを前記ユーザが見ることおよび／または修正することを容易にすることをさらに含む、態様９に記載の装置。
（態様１４）
直接的な影響は、組合せが生じるときにのみ生じる誤動作の前記組合せに関連付けられ、間接的な影響は直接的な影響の組合せに関連付けられる、態様９に記載の装置。
（態様１５）
前記協調ツールは、前記システム誤動作影響データに少なくとも基づいて設計変更を勧告するように前記プロセッサによってさらに作動される、態様９に記載の装置。
（態様１６）
前記協調ツールは、前記システム誤動作影響データのレポートを準備するように前記プロセッサによってさらに作動され、前記レポートは認可プロセスで使用できる、態様９に記載の装置。
（態様１７）
記憶媒体と、
前記記憶媒体に格納される複数のプログラミング命令とを備える製造品であって、前記複数のプログラミング命令は、
少なくとも１つの誤動作ならびに前記少なくとも１つの誤動作の各々に関連付けられる複数の直接的および間接的な影響を含むシステム誤動作影響データを装置が受信できるように前記装置をプログラムするように適合されており、
前記受信されたシステム誤動作影響データを前記装置が格納できるように前記装置をプログラムするように適合されており、
ユーザが前記システム誤動作影響データを見ることおよび／または修正することを前記装置が容易にすることができるように前記装置をプログラムするように適合されており、前記見ることは、リレーショナルな態様で、すなわち各誤動作が１つ以上の直接的な影響にリンクされ、各直接的な影響が１つ以上の間接的な影響にリンクされる状態で前記データを提示することを含む、製造品。
（態様１８）
前記システム誤動作影響データは、航空機レベルの障害影響伝播データを含む、態様１７に記載の製造品。
（態様１９）
前記複数のプログラミング命令は、ユーザが前記システム誤動作影響データを見ることおよび／または修正することを前記装置が容易にすることができるようにさらに適合されており、前記容易にすることは、ユーザが、前記ユーザに関連付けられる許可レベルに基づいて、見ることおよび／または修正することを認められる前記データの一部のみを前記ユーザが見ることおよび／または修正することを容易にすることをさらに含む、態様１７に記載の製造品。
（態様２０）
前記複数のプログラミング命令は、前記システム誤動作影響データのレポートを前記装 
置が準備できるようにさらに適合されており、前記レポートは認可プロセスで使用できる、態様１７に記載の製造品。